(57)【要約】【課題】プラズマディスプレイパネルのコントラストの低下を抑制しつつ、座標検出のための発光を発生させる。【解決手段】画像を表示するための画像表示サブフィールドと、同期検出放電を発生させる同期検出サブフィールドＳＦｏと、ｙ座標検出放電を発生させるｙ座標検出サブフィールドＳＦｙと、ｘ座標検出放電を発生させるｘ座標検出サブフィールドＳＦｘと、を含む複数のサブフィールドで１フィールド期間を構成し、画像表示サブフィールドは、画像信号に応じた第１の書込みパルスをデータ電極に印加するとともに第１の走査パルスを走査電極に順次印加して書込み放電を発生させる書込み期間を有し、同期検出サブフィールドＳＦｏは、第２の書込みパルスをデータ電極に一斉に印加するとともに第１の走査パルスよりもパルス幅の広い第２の走査パルスを走査電極に一斉に印加して書込み放電を発生させる書込み期間を有する。【選択図】図４Ａ
2014010198.tif 000002
【特許請求の範囲】
【請求項１】
走査電極および維持電極とデータ電極との交差部のそれぞれに放電セルを形成したプラズマディスプレイパネルを用いた画像表示装置の駆動方法であって、
画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成し、
前記画像表示サブフィールドは、画像信号に応じた第１の書込みパルスを前記データ電極に印加するとともに第１の走査パルスを前記走査電極に順次印加して書込み放電を発生させる書込み期間と、前記走査電極と前記維持電極とに交互に維持パルスを印加して維持放電を発生させる維持期間とを有し、
前記同期検出サブフィールドは、第２の書込みパルスを前記データ電極に一斉に印加するとともに前記第１の走査パルスよりもパルス幅の広い第２の走査パルスを前記走査電極に一斉に印加して書込み放電を発生させる書込み期間と、前記走査電極と前記維持電極とに交互に同期検出パルスを印加して同期検出放電を発生させる同期検出期間とを有することを特徴とする画像表示装置の駆動方法。
【請求項２】
前記同期検出サブフィールドの同期検出期間において、前記走査電極と前記維持電極とに１回ずつ同期検出パルスを印加して前記同期検出放電を２回発生させることを特徴とする請求項１に記載の画像表示装置の駆動方法。
【請求項３】
走査電極および維持電極とデータ電極との交差部のそれぞれに放電セルを形成したプラズマディスプレイパネルと、１フィールド期間を複数のサブフィールドで構成して前記プラズマディスプレイパネルを駆動する駆動回路とを備えた画像表示装置であって、
前記駆動回路は、
画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成し、
前記画像表示サブフィールドは、画像信号に応じた第１の書込みパルスを前記データ電極に印加するとともに第１の走査パルスを前記走査電極に順次印加して書込み放電を発生させる書込み期間と、前記走査電極と前記維持電極とに交互に維持パルスを印加して維持放電を発生させる維持期間とを有し、
前記同期検出サブフィールドは、第２の書込みパルスを前記データ電極に一斉に印加するとともに前記第１の走査パルスよりもパルス幅の広い第２の走査パルスを前記走査電極に一斉に印加して書込み放電を発生させる書込み期間と、前記走査電極と前記維持電極とに交互に同期検出パルスを印加して同期検出放電を発生させる同期検出期間とを有する構成として、
前記プラズマディスプレイパネルを駆動することを特徴とする画像表示装置。
【請求項４】
請求項３に記載の画像表示装置と、電子ペンと、描画装置とを備え、
前記電子ペンは、前記画像表示装置の発光を受光して受光信号を出力する受光素子と、前記ｙ座標検出サブフィールドおよび前記ｘ座標検出サブフィールドと同期した座標基準信号を前記受光信号にもとづき作成する同期検出部と、前記電子ペンが指し示す前記画像表示装置の表示画面上の座標を前記座標基準信号と前記受光信号にもとづき算出する座標算出部と、前記座標算出部が算出した座標を前記描画装置に送信する送信部とを有し、
前記描画装置は、前記電子ペンから送信された座標を受信する受信部と、前記受信部で受信した座標にもとづき描画信号を作成して前記画像表示装置に出力する描画部とを有する
ことを特徴とする画像表示システム。
【発明の詳細な説明】
【技術分野】
【０００１】
本発明は、画像表示装置の駆動方法、画像表示装置、および電子ペンを用いて手書き入力が可能な画像表示システムに関する。
【背景技術】
【０００２】
画像表示装置として代表的なプラズマディスプレイパネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
プラズマディスプレイパネルを駆動する方法としては、１フィールド期間を複数のサブフィールドで構成し、発光させるサブフィールドの組み合わせによって画像表示を行うサブフィールド法が一般的である。各サブフィールドは、初期化期間、書込み期間および維持期間を有する。初期化期間では初期化放電を発生し、書込み放電に必要な壁電荷を形成する。書込み期間では、表示する画像に応じて放電セルで選択的に書込み放電を発生し、維持放電に必要な壁電荷を形成する。そして維持期間では、走査電極と維持電極とに交互に維持パルスを印加して維持放電を発生させ、対応する放電セルの蛍光体層を発光させる。
【０００４】
サブフィールド法の中でも、全ての放電セルで強制的に初期化放電を発生させる強制初期化動作を行う回数を１フィールドに１回とし、さらに傾斜電圧を用いて初期化放電を発生させることで、画像表示に関係しない発光を極力減らしてコントラストを向上させた駆動方法が、例えば特許文献１に開示されている。
【０００５】
近年は、このようなプラズマディスプレイパネルを用いて、黒板やホワイトボードのように、画像表示面上から、文字や絵などを入力できる電子黒板としての応用も検討されている。例えば特許文献２には、位置座標検出時にのみ１フィールド中に位置座標検出期間を設けて、この期間内に位置座標検出用の発光を発生させ、その発光を電子ペンで検出するタイミングにより位置座標を検出する方法が記載されている。
【先行技術文献】
【特許文献】
【０００６】
【特許文献１】特開２０００−２４２２２４号公報
【特許文献２】特開２００１−３１８７６５号公報
【発明の概要】
【発明が解決しようとする課題】
【０００７】
このように、画像表示装置と、電子ペンと、電子ペンの指し示す座標に基づく画像信号を作成する描画装置とを用いて、電子ペンで描画可能な画像表示システムを構成することができる。しかしながら位置座標検出のための発光を発生させると、画像表示に関係しない発光が増加するためコントラストが低下するという課題があった。
【０００８】
本発明は上記の課題に鑑みなされたものであり、コントラストの低下を抑制しつつ、座標検出のための発光を発生させる画像表示装置の駆動方法、画像表示装置、および電子ペンを用いて描画可能な画像表示システムを提供することを目的とする。
【課題を解決するための手段】
【０００９】
上記目的を達成するために本発明は、走査電極および維持電極とデータ電極との交差部のそれぞれに放電セルを形成したプラズマディスプレイパネルを用いた画像表示装置の駆動方法であって、画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成し、画像表示サブフィールドは、画像信号に応じた第１の書込みパルスをデータ電極に印加するとともに第１の走査パルスを走査電極に順次印加して書込み放電を発生させる書込み期間と、走査電極と維持電極とに交互に維持パルスを印加して維持放電を発生させる維持期間とを有し、同期検出サブフィールドは、第２の書込みパルスをデータ電極に一斉に印加するとともに第１の走査パルスよりもパルス幅の広い第２の走査パルスを走査電極に一斉に印加して書込み放電を発生させる書込み期間と、走査電極と維持電極とに交互に同期検出パルスを印加して同期検出放電を発生させる同期検出期間とを有することを特徴とする。この方法により、コントラストの低下を抑制しつつ、座標検出のための発光を発生させる画像表示装置の駆動方法を提供することができる。
【００１０】
また本発明の画像表示装置の同期検出サブフィールドの同期検出期間において、走査電極と維持電極とに１回ずつ同期検出パルスを印加して同期検出放電を２回発生させることが望ましい。
【００１１】
また本発明は、走査電極および維持電極とデータ電極との交差部のそれぞれに放電セルを形成したプラズマディスプレイパネルと、１フィールド期間を複数のサブフィールドで構成してプラズマディスプレイパネルを駆動する駆動回路とを備えた画像表示装置であって、駆動回路は、画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成し、画像表示サブフィールドは、画像信号に応じた第１の書込みパルスをデータ電極に印加するとともに第１の走査パルスを走査電極に順次印加して書込み放電を発生させる書込み期間と、走査電極と維持電極とに交互に維持パルスを印加して維持放電を発生させる維持期間とを有し、同期検出サブフィールドは、第２の書込みパルスをデータ電極に一斉に印加するとともに第１の走査パルスよりもパルス幅の広い第２の走査パルスを走査電極に一斉に印加して書込み放電を発生させる書込み期間と、走査電極と維持電極とに交互に同期検出パルスを印加して同期検出放電を発生させる同期検出期間とを有する構成として、プラズマディスプレイパネルを駆動することを特徴とする。この構成により、コントラストの低下を抑制しつつ、座標検出のための発光を発生させる画像表示装置を提供することができる。
【００１２】
また本発明の画像表示システムは、上記に記載の画像表示装置と電子ペンと描画装置とを備え、電子ペンは、画像表示装置の発光を受光して受光信号を出力する受光素子と、ｙ座標検出サブフィールドおよびｘ座標検出サブフィールドと同期した座標基準信号を受光信号にもとづき作成する同期検出部と、電子ペンが指し示す画像表示装置の表示画面上の座標を座標基準信号と受光信号にもとづき算出する座標算出部と、座標算出部が算出した座標を描画装置に送信する送信部とを有し、描画装置は、電子ペンから送信された座標を受信する受信部と、受信部で受信した座標にもとづき描画信号を作成して画像表示装置に出力する描画部とを有することを特徴とする。この構成により、コントラストの低下を抑制しつつ、座標検出のための発光を発生させる画像表示システムを提供することができる。
【発明の効果】
【００１３】
本発明によれば、コントラストの低下を抑制しつつ、座標検出のための発光を発生させる画像表示装置の駆動方法、画像表示装置、および電子ペンを用いて描画可能な画像表示システムを提供することが可能となる。
【図面の簡単な説明】
【００１４】
【図１】本発明の実施の形態１における画像表示システムのパネルの分解斜視図である。
【図２】同画像表示システムのパネルの電極配列図である。
【図３】同画像表示システムのパネルに印加する駆動電圧波形図である。
【図４Ａ】同画像表示システムのパネルに印加する駆動電圧波形図である。
【図４Ｂ】同画像表示システムのパネルに印加する駆動電圧波形図である。
【図５】同画像表示システムの回路ブロック図である。
【図６】同画像表示システムの位置座標検出方法を説明するタイミングチャートである。
【図７】同画像表示システムの位置座標検出方法を説明する模式図である。
【図８】同画像表示システムの描画の一例を示す模式図である。
【図９】本発明の実施の形態２における画像表示システムのパネルに印加する駆動電圧波形図である。
【図１０】同画像表示システムの特定の走査電極とフィールドとの関係を示す図である。
【発明を実施するための形態】
【００１５】
以下、本発明の実施の形態における画像表示システムについて、プラズマディスプレイパネル（以下、「パネル」と略記する）を用いた画像表示システムを例に、図面を用いて説明する。
【００１６】
（実施の形態１）
まず、パネルおよびその駆動方法について説明する。
【００１７】
図１は、本発明の実施の形態１における画像表示システムのパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色に発光する蛍光体層２５Ｒ、緑色に発光する蛍光体層２５Ｇ、および青色の各色に発光する蛍光体層２５Ｂのいずれかの蛍光体層２５が設けられている。
【００１８】
これら前面基板１１と背面基板２１とは、微小な放電空間を挟んで表示電極対１４とデータ電極２２とが交差するように対向配置され、その外周部をガラスフリット等の封着材によって封着されている。そして放電空間には放電ガスが封入されている。放電空間は隔壁２４によって複数の区画に仕切られており、走査電極１２および維持電極１３とデータ電極２２との交差部のそれぞれに赤色、緑色、青色のいずれかの蛍光体層を有する放電セルが形成されている。そしてこれらの放電セルが放電、発光することにより画像が表示される。
【００１９】
なお、パネル１０の構造は上述したものに限られるわけではなく、例えばストライプ状の隔壁を備えたものであってもよい。
【００２０】
図２は、本発明の実施の形態１における画像表示システムのパネル１０の電極配列図である。パネル１０には、行方向に延びたｎ本の走査電極ＳＣ１〜ＳＣｎ（図１の走査電極１２）およびｎ本の維持電極ＳＵ１〜ＳＵｎ（図１の維持電極１３）が配列され、列方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の表示電極対との交差する部分に形成される３個の放電セルは、赤のサブピクセル、緑のサブピクセル、青のサブピクセルである。そして赤のサブピクセル、緑のサブピクセル、青のサブピクセルが一組で１つの画素を構成する。したがって、例えばパネル１０が１０８０×１９２０の画素をもつ高精細度パネルであれば、ｎ＝１０８０、ｍ＝１９２０×３＝５７６０である。
【００２１】
次に、画像表示装置の駆動電圧波形について説明する。本実施の形態においては、１フィールド期間を、画像を表示するための複数の画像表示サブフィールドと、座標を検出するための複数の座標検出サブフィールドとで構成する。
【００２２】
まず画像表示サブフィールドの詳細について説明する。画像表示サブフィールドは、あらかじめ定められた輝度重みを持つ複数のサブフィールドで構成され、それぞれの画像表示サブフィールドにおいて、発光・非発光を放電セル毎に制御することにより画像を表示する。
【００２３】
画像表示サブフィールドは、各電極に所定の電圧を印加して初期化放電を発生させる初期化期間と、画像信号に応じた第１の書込みパルスをデータ電極に印加するとともに第１の走査パルスを走査電極に順次印加して書込み放電を発生させる書込み期間と、走査電極と維持電極とに交互に維持パルスを印加して維持放電を発生させる維持期間とを有する。本実施の形態においては、画像表示サブフィールドは８個のサブフィールドＳＦ１〜ＳＦ８で構成され、サブフィールドＳＦ１〜ＳＦ８それぞれの輝度重みは、例えば（１、３４、２１、１３、８、５、３、２）である。そして最初に配置されたサブフィールドＳＦ１の初期化期間では、以前の放電の履歴にかかわらず強制的に初期化放電を発生させる強制初期化動作を行う。サブフィールドＳＦ２〜ＳＦ８の初期化期間では、直前のサブフィールドで放電を発生させた放電セルのみで初期化放電を発生させる選択初期化動作を行う。しかしサブフィールド数、輝度重み等のサブフィールド構成は、上記に限定されるものではない。
【００２４】
図３は、本発明の実施の形態１における画像表示システムのパネル１０に印加する駆動電圧波形図であり、画像表示サブフィールドのうちのサブフィールドＳＦ１〜ＳＦ３においてパネル１０の各電極に印加する駆動電圧波形を示している。
【００２５】
サブフィールドＳＦ１の初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。
【００２６】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。なお、微弱な初期化放電にともなう発光の輝度は低い。
【００２７】
続く書込み期間Ｐｗ１では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００２８】
次に、１行目の走査電極ＳＣ１に電圧Ｖａの第１の走査パルスを印加するとともに、データ電極Ｄ１〜Ｄｍのうち１行目に発光させるべき放電セルのデータ電極Ｄｋ（ｋ＝１〜ｍ）に電圧Ｖｄの第１の書込みパルスを印加する。すると第１の書込みパルスを印加した１行目の放電セルで書込み放電が発生し、走査電極ＳＣ１上および維持電極ＳＵ１上に壁電圧が蓄積される。こうして、１行目に発光させるべき放電セルで書込み動作が行われる。一方、第１の書込みパルスを印加しなかった放電セルでは書込み動作は行われない。ここで第１の走査パルスのパルス幅Ｔｗ１は、書込み放電が発生して収束するまでの時間以上に設定されており、本実施の形態においては１．０μｓである。また第１の書込みパルスのパルス幅は１．１μｓである。次に、２行目の走査電極ＳＣ２に第１の走査パルスを印加するとともに、データ電極Ｄ１〜Ｄｍのうち２行目に発光させるべき放電セルのデータ電極Ｄｋに第１の書込みパルスを印加する。すると第１の書込みパルスを印加した２行目の放電セルで書込み放電が発生する。
【００２９】
以下同様に、走査電極ＳＣ３〜ＳＣｎに第１の走査パルスを順次印加するとともに発光させるべき放電セルのデータ電極Ｄｋに第１の書込みパルスを印加して、３行目〜ｎ行目に発光させるべき放電セルで書込み放電を順次発生させる。なおこのとき発生する書込み放電は、後述する維持放電に比較するとやや弱い放電であり、放電にともなう発光の輝度もやや低い。
【００３０】
続く維持期間Ｐｓでは、データ電極Ｄ１〜Ｄｍに電圧０（Ｖ）を印加する。そして走査電極ＳＣ１〜ＳＣｎに電圧Ｖｓの維持パルスを印加するとともに維持電極ＳＵ１〜ＳＵｎに電圧０（Ｖ）を印加する。すると書込み放電を起こした放電セルでは維持放電が発生する。そして走査電極ＳＣｉ上および維持電極ＳＵｉ上の壁電圧の極性が反転する。書込み動作を行わなかった放電セルでは維持放電は発生せず、初期化期間Ｐｉの終了時における壁電圧が保たれる。
【００３１】
続いて、走査電極ＳＣ１〜ＳＣｎに電圧０（Ｖ）を印加するとともに維持電極ＳＵ１〜ＳＵｎに維持パルスを印加する。すると維持放電を起こした放電セルでは再び維持放電が発生する。そして走査電極ＳＣｉ上の壁電圧および維持電極ＳＵｉ上の壁電圧の極性が反転する。以下同様に輝度重みに応じた数の維持パルスを走査電極ＳＣ１〜ＳＣｎと維持電極ＳＵ１〜ＳＵｎとに交互に印加し、書込み期間Ｐｗ１において書込み放電を起こした放電セルで維持放電を継続して発生させる。なおこのとき発生する維持放電は強い放電であり、放電にともなう発光の輝度も高い。
【００３２】
そして維持期間Ｐｓの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。すると、維持放電を発生した放電セルで微弱な消去放電が発生して、データ電極Ｄｋ上の壁電圧を残したまま、走査電極ＳＣｉ上および維持電極ＳＵｉ上の壁電圧が弱められる。
【００３３】
サブフィールドＳＦ２の初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、直前のサブフィールドＳＦ１で維持放電を起こした放電セルでは微弱な初期化放電が発生し、走査電極ＳＣｉ上の壁電圧および維持電極ＳＵｉ上の壁電圧が弱められ、データ電極Ｄｋ上の壁電圧は書込み動作に適した値に調整される。一方、直前のサブフィールドＳＦ１で維持放電を起こさなかった放電セルについては放電することはなく、直前のサブフィールドＳＦ１の初期化期間Ｐｉ終了時における壁電圧が保たれる。
【００３４】
サブフィールドＳＦ２の書込み期間Ｐｗ１の動作はサブフィールドＳＦ１の書込み期間Ｐｗ１の動作と同様であるため説明を省略する。続く維持期間Ｐｓの動作も維持パルスの数を除いてサブフィールドＳＦ１の維持期間Ｐｓの動作と同様である。サブフィールドＳＦ３〜ＳＦ８の動作も、維持パルスの数を除いてサブフィールドＳＦ２の動作と同様である。
【００３５】
次に座標検出サブフィールドについて説明する。座標検出サブフィールドは、同期検出サブフィールドＳＦｏと、ｙ座標検出サブフィールドＳＦｙと、ｘ座標検出サブフィールドＳＦｘとを有する。同期検出サブフィールドＳＦｏは、電子ペンがｙ座標検出サブフィールドおよびｘ座標検出サブフィールドと同期をとるための発光を発生するサブフィールドである。そして、各電極に所定の電圧を印加して初期化放電を発生させる初期化期間Ｐｉと、第２の書込みパルスをデータ電極に一斉に印加するとともに第１の走査パルスよりもパルス幅の広い第２の走査パルスを走査電極に一斉に印加して書込み放電を発生させる書込み期間Ｐｗ２と、走査電極と維持電極とに交互に同期検出パルスを印加して同期検出放電を発生させる同期検出期間Ｐｏとを有する。ｙ座標検出サブフィールドＳＦｙは電子ペンが指し示す画像表示面上のｙ座標を検出するための発光を発生するサブフィールドであり、初期化期間Ｐｉとｙ座標検出期間Ｐｙと消去期間Ｐｅとを有する。ｘ座標検出サブフィールドＳＦｘは電子ペンが指し示す画像表示面上のｘ座標を検出するための発光を発生するサブフィールドであり、初期化期間Ｐｉとｘ座標検出期間Ｐｘと消去期間Ｐｅとを有する。なおここでは、行方向の座標をｘ座標、列方向の座標をｙ座標とした。
【００３６】
図４Ａは、本発明の実施の形態１における画像表示システムのパネル１０に印加する駆動電圧波形図であり、座標検出サブフィールドのそれぞれにおいてパネル１０の各電極に印加する駆動電圧波形を示している。
【００３７】
同期検出サブフィールドＳＦｏの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。このとき図４Ａに示したように、データ電極Ｄ１〜Ｄｍを電圧０（Ｖ）にした後でハイインピーダンス状態としてもよい。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。このとき図４Ａに示したように、維持電極ＳＵ１〜ＳＵｎに電圧Ｖｅを印加した後にハイインピーダンス状態に設定してもよい。
【００３８】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００３９】
同期検出サブフィールドＳＦｏの書込み期間Ｐｗ２では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００４０】
その後、データ電極Ｄ１〜Ｄｍのそれぞれに電圧Ｖｄの第２の書込みパルスを一斉に印加する。そして全てのデータ電極Ｄ１〜Ｄｍに印加される電圧が電圧Ｖｄに達した後、本実施の形態においては０．２μｓ後に、走査電極ＳＣ１〜ＳＣｎのそれぞれに電圧Ｖａの第２の走査パルスを一斉に印加する。こうして、全ての放電セルで一斉に書込み放電を発生させて画像表示面を発光させる。
【００４１】
そして書込み放電が収束した後に、走査電極ＳＣ１〜ＳＣｎの電圧を電圧Ｖｃに戻す。本実施の形態においては、走査電極ＳＣ１〜ＳＣｎに印加する第２の走査パルスのパルス幅Ｔｗ２は１．４μｓに設定している。そしてその後、データ電極Ｄ１〜Ｄｍの電圧を電圧０（Ｖ）に戻す。
【００４２】
このように、同期検出サブフィールドＳＦｏの書込み期間Ｐｗ２では、第２の書込みパルスをデータ電極に一斉に印加するとともに第１の走査パルスよりもパルス幅の広い第２の走査パルスを走査電極に一斉に印加して書込み放電を発生させる。このとき第２の書込みパルスのパルス幅も第１の書込みパルスのパルス幅よりも広くなっている。第２の走査パルスのパルス幅Ｔｗ２が、第１の走査パルスのパルス幅Ｔｗ１よりも広く設定されている理由は以下のとおりである。
【００４３】
図４Ｂは、本発明の実施の形態１における画像表示システムのパネル１０に印加する駆動電圧波形図であり、書込み期間Ｐｗ２において、走査電極ＳＣ１〜ＳＣｎに印加する第２の走査パルスと、データ電極Ｄ１〜Ｄｍに印加する第２の書込みパルスと、そのときの放電発光との詳細を示している。上述したように本実施の形態においては、第２の走査パルスのパルス幅Ｔｗ２は１．４μｓである。また第２の書込みパルスのパルス幅は３．５μｓであり、第２の走査パルスよりも時間０．３μｓだけ先行してデータ電極Ｄ１〜Ｄｍに印加されている。
【００４４】
同期検出サブフィールドＳＦｏの書込み期間Ｐｗ２においては、第２の走査パルスと第２の書込みパルスとが全ての放電セルに一斉に印加されるので、多くの放電セルで放電が発生し始めると、大きな放電電流が流れ始める。すると駆動回路の出力インピーダンスやパネル１０の各電極のインピーダンスの影響を受けて、各放電セルに印加される電圧が変化する。具体的には、パネル１０の走査電極ＳＣ１〜ＳＣｎのインピーダンスは比較的小さいので、図４Ｂに示した波形にほぼ等しい波形の第２の走査パルスが放電セルに印加されると考えてよい。しかしながらパネル１０のデータ電極Ｄ１〜Ｄｍのインピーダンスは大きいので、電圧降下の影響を受けて、例えば図４Ｂに点線で示したような第２の書込みパルスが放電セルに印加されると予想される。
【００４５】
こうして放電セルに印加される電圧が低下して放電が抑制され、放電電流がいったん減少する。すると放電セルに印加される電圧が上昇して再び放電セルで放電が発生し始める。このような現象が発生するため、同期検出サブフィールドＳＦｏの書込み期間Ｐｗ２においては、書込み放電の発生から収束までの時間が、画像表示サブフィールドＳＦ１〜ＳＦ８の書込み期間Ｐｗ１における書込み放電の発生から収束までの時間よりも長くなる。そして同期検出サブフィールドＳＦｏにおいて書込み放電の発生から収束までの時間が長くなっても安定した書き込み放電を発生させるために、第２の走査パルスのパルス幅Ｔｗ２を、画像表示サブフィールドＳＦ１〜ＳＦ８における第１の走査パルスのパルス幅Ｔｗ１よりも広く設定している。
【００４６】
なおこのとき発生する書込み放電は後述する同期検出放電に比較するとやや弱い放電であり、放電にともなう発光の輝度もやや低い。
【００４７】
その後、データ電極Ｄ１〜Ｄｍに電圧０（Ｖ）を印加し、走査電極ＳＣ１〜ＳＣｎに電圧Ｖｃを印加する。
【００４８】
同期検出サブフィールドＳＦｏの同期検出期間Ｐｏでは、書込み放電を一斉に発生させた時刻ｔｏ０から時間Ｔｏ０経過後の時刻ｔｏ１において、走査電極ＳＣ１〜ＳＣｎに電圧Ｖｓｏの同期検出パルスを印加するとともに維持電極ＳＵ１〜ＳＵｎに電圧０（Ｖ）を印加して、全ての放電セルで同期検出放電を発生させて画像表示面を発光させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに同期検出パルスを印加して、全ての放電セルで再び同期検出放電を発生させて画像表示面を発光させる。このように同期検出期間Ｐｏでは、走査電極と維持電極とに交互に同期検出パルスを印加して同期検出放電を発生させる。
【００４９】
そして同期検出期間Ｐｏの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。すると、全ての放電セルで微弱な消去放電が発生して、走査電極ＳＣｉ上および維持電極ＳＵｉ上の壁電圧が弱められる。
【００５０】
ここで、時間Ｔｏ０、時間Ｔｏ１はあらかじめ定められた時間間隔であり、後述するように、時間Ｔｏ０、時間Ｔｏ１の間隔で発生する３回の放電を検出することで同期検出放電を特定している。本実施の形態において、時間Ｔｏ０、時間Ｔｏ１は、例えばそれぞれ５０μｓ、４０μｓである。
【００５１】
なおこのとき発生する同期検出放電そのものは、維持放電と同様の強い放電である。しかし本実施の形態においては、時刻ｔｏ０で発生させる比較的弱い書込み放電をも同期検出のための放電の１つとして用いることにより、走査電極と維持電極とに１回ずつ同期検出パルスを印加して同期検出放電を２回発生させている。このように同期検出放電そのものの回数を２回に制限することにより、同期検出のための放電にともなう発光の輝度を抑制している。
【００５２】
ｙ座標検出サブフィールドＳＦｙの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ４まで下降する下り傾斜電圧を印加する。次にデータ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｓを印加する。次に維持電極ＳＵ１〜ＳＵｎに電圧Ｖｓを印加し、走査電極ＳＣ１〜ＳＣｎに電圧０（Ｖ）を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。なおこのときも図４Ａに示したように、維持電極ＳＵ１〜ＳＵｎに電圧Ｖｅを印加した後にハイインピーダンス状態に設定してもよい。
【００５３】
すると、全ての放電セルで微弱な初期化放電が発生し、走査電極ＳＣ１〜ＳＣｎ上の壁電圧および維持電極ＳＵ１〜ＳＵｎ上の壁電圧が弱められる。
【００５４】
ｙ座標検出サブフィールドＳＦｙのｙ座標検出期間Ｐｙでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００５５】
次に、データ電極Ｄ１〜Ｄｍにｙ座標検出電圧Ｖｄｙを印加する。そして、１行目の走査電極ＳＣ１に電圧Ｖａｙのｙ座標検出パルスを印加する。すると１行目の放電セルでｙ座標検出のための放電が発生する。こうして１行目の画素行が発光する。
【００５６】
次に、データ電極Ｄ１〜Ｄｍにｙ座標検出電圧Ｖｄｙを印加したまま、２行目の走査電極ＳＣ２にｙ座標検出パルスを印加する。すると２行目の放電セルでｙ座標検出のための放電が発生する。こうして２行目の画素行が発光する。
【００５７】
以下同様に、データ電極Ｄ１〜Ｄｍにｙ座標検出電圧Ｖｄｙを印加したまま、走査電極ＳＣ３〜ＳＣｎにｙ座標検出パルスを順次印加して、３行目〜ｎ行目の画素行を順次発光させる。
【００５８】
こうしてｙ座標検出期間Ｐｙでは、画像表示面の上端部から下端部まで移動する横線が表示される。そのため後述するように、電子ペンで横線の発光を受光し、発光のタイミングを知ることで電子ペンが指し示す画像表示面のｙ座標を検出することができる。ただし横線の移動する速度は非常に速いので、視覚的には画像表示面全体が僅かに明るくなったようにしか見えない。
【００５９】
ｙ座標検出サブフィールドＳＦｙの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加して、全ての放電セルで微弱な消去放電を発生させる。
【００６０】
ｘ座標検出サブフィールドＳＦｘの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。このとき図４Ａに示したように、データ電極Ｄ１〜Ｄｍを電圧０（Ｖ）にした後でハイインピーダンス状態としてもよい。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖａまで下降する下り傾斜電圧を印加する。さらに走査電極ＳＣ１〜ＳＣｎに電圧０（Ｖ）から電圧Ｖｒまで上昇する上り傾斜電圧を印加し、その後、走査電極ＳＣ１〜ＳＣｎに電圧０（Ｖ）からｘ座標検出電圧Ｖａｘまで下降する下り傾斜電圧を印加する。
【００６１】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｘ座標検出のための放電に適した値に調整される。
【００６２】
ｘ座標検出サブフィールドＳＦｘのｘ座標検出期間Ｐｘでは、走査電極ＳＣ１〜ＳＣｎにｘ座標検出電圧Ｖａｘを印加したまま、１列目〜３列目のデータ電極Ｄ１〜Ｄ３に電圧Ｖｄｘのｘ座標検出パルスを印加する。すると１列目〜３列目の放電セルでｘ座標検出のための放電が発生する。こうして１列目の画素列が発光する。
【００６３】
次に、走査電極ＳＣ１〜ＳＣｎにｘ座標検出電圧Ｖａｘを印加したまま、４列目〜６列目のデータ電極Ｄ４〜Ｄ６にｘ座標検出パルスを印加する。すると４列目〜６列目の放電セルでｘ座標検出のための放電が発生する。こうして２列目の画素列が発光する。
【００６４】
以下同様に、走査電極ＳＣ１〜ＳＣｎにｘ座標検出電圧Ｖａｘを印加したまま、データ電極３列ずつにｘ座標検出パルスを順次印加して、放電セル列を３列ずつ、ｍ列目の放電セル列に至るまで順次発光させる。
【００６５】
こうしてｘ座標検出期間Ｐｘでは、画像表示面の左端部から右端部まで移動する縦線が表示される。そのため後述するように、電子ペンで縦線の発光を受光し、発光のタイミングを知ることで電子ペンが指し示す画像表示面のｘ座標を検出することができる。ただし縦線の移動する速度は非常に速いので、視覚的には画像表示面全体が僅かに明るくなったようにしか見えない。
【００６６】
ｘ座標検出サブフィールドＳＦｘの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ２まで上昇する上り傾斜電圧を印加する。このとき図４Ａに示したように、データ電極Ｄ１〜Ｄｍを電圧０（Ｖ）にした後でハイインピーダンス状態としてもよい。そしてデータ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ４まで下降する下り傾斜電圧を印加する。こうして、全ての放電セルで微弱な消去放電を発生させる。
【００６７】
以上のように本実施の形態においては、同期検出サブフィールドＳＦｏの書込み期間Ｐｗ２で発生させる比較的弱い書込み放電をも同期検出のための放電の１つとして用いることにより、同期検出放電そのものの回数を２回に制限している。こうして、同期検出のための放電にともなう発光の輝度を抑制している。
【００６８】
なお本実施の形態において各電極に印加する電圧値は、例えば、電圧Ｖｉ１＝１５０（Ｖ）、電圧Ｖｉ２＝３５０（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。しかしこれらの電圧値は一例を挙げたに過ぎず、パネル１０の特性や画像表示装置の仕様等に合わせて、適宜最適な値に設定することが望ましい。
【００６９】
次に、画像表示システムの構成について説明する。
【００７０】
図５は、本発明の実施の形態１における画像表示システム１００の回路ブロック図である。画像表示システム１００は、画像表示装置３０と、描画装置４０と、電子ペン５０とを備える。電子ペン５０は複数本備えていてもよい。
【００７１】
画像表示装置３０は、パネル１０と駆動回路とを備えている。駆動回路は、画像を表示するための画像表示サブフィールドと、同期検出放電を発生させる同期検出サブフィールドと、ｙ座標検出放電を発生させるｙ座標検出サブフィールドと、ｘ座標検出放電を発生させるｘ座標検出サブフィールドと、を含む複数のサブフィールドで１フィールド期間を構成して、パネル１０を駆動する。
【００７２】
駆動回路は、画像信号処理部３１と、データ電極駆動部３２と、走査電極駆動部３３と、維持電極駆動部３４と、制御部３５と、各回路ブロックに必要な電源を供給する電源部（図示せず）とを有する。
【００７３】
画像信号処理部３１は、入力した画像信号と描画装置４０とから出力される画像信号とを切換えて、または合成して、サブフィールド毎の発光・非発光を示す画像データに変換する。また水平および垂直の同期信号を制御部３５に出力する。制御部３５は、同期信号をもとにして各回路ブロックの動作を制御する各種の制御信号を発生し、それぞれの回路ブロックへ供給する。
【００７４】
データ電極駆動部３２は、画像表示サブフィールドにおいては図３に示したように、画像データをデータ電極Ｄ１〜Ｄｍのそれぞれに対応する第１の書込みパルスに変換し、データ電極Ｄ１〜Ｄｍのそれぞれに印加する。また座標検出サブフィールドにおいては図４Ａに示した駆動電圧波形をデータ電極Ｄ１〜Ｄｍのそれぞれに印加する。
【００７５】
走査電極駆動部３３は、制御信号に基づいて、図３および図４Ａに示した駆動電圧波形を走査電極ＳＣ１〜ＳＣｎのそれぞれに印加する。維持電極駆動部３４は、制御信号に基づいて、図３および図４Ａに示した駆動電圧波形を維持電極ＳＵ１〜ＳＵｎのそれぞれに印加する。
【００７６】
電子ペン５０は、画像表示装置３０の画像表示面上から文字や絵などを入力するためのものであり、受光素子５２と、同期検出部５４と、座標算出部５６と、送信部５８とを有し、また電子ペン５０の先端部には接触スイッチ（図示せず）が設けられている。
【００７７】
受光素子５２は、電子ペン５０が画像表示装置３０の画像表示面に接触しているとき、画像表示装置３０の発光を受光して、同期検出部５４および座標算出部５６に受光信号を出力する。
【００７８】
同期検出部５４は、受光信号の中から、あらかじめ定められた所定の数列に対応する時間間隔で発生した発光を検出し、同期検出サブフィールドＳＦｏの同期検出期間Ｐｏの同期検出放電を特定する。そしてｙ座標検出サブフィールドおよびｘ座標検出サブフィールドと同期した座標基準信号を受光信号にもとづき作成する。
【００７９】
図６は、本発明の実施の形態１における画像表示システム１００の位置座標検出方法を説明するタイミングチャートであり、受光信号および座標基準信号を示している。本実施の形態において、同期検出部５４は、発光の間隔が順に時間Ｔｏ０、時間Ｔｏ１となる３個の連続する発光を受光信号の中から探す。そして３個の連続する発光を検出すると、その発光の１つ、例えば時刻ｔｏ１に発生した発光を基準とし、あらかじめ決められている時間Ｔｏｙおよび時間Ｔｏｘに基づいて、ｙ座標検出期間Ｐｙの開始時刻ｔｙ０とｘ座標検出期間Ｐｘの開始時刻ｔｘ０とに立上りを有する座標基準信号を作成し、座標算出部５６に出力する。
【００８０】
座標算出部５６は、時間の長さを計測するためのカウンタと、カウンタの出力に演算を施す演算回路とを備える。そして電子ペン５０が指し示す画像表示面のｘ座標およびｙ座標を、座標基準信号および受光信号にもとづき算出する。
【００８１】
図７は、本発明の実施の形態１における画像表示システム１００の位置座標検出方法を説明する模式図である。上述したように、ｙ座標検出サブフィールドＳＦｙのｙ座標検出期間Ｐｙでは、画像表示面の上端部から下端部まで移動する横線Ｌｙが表示される。そして電子ペン５０が指し示す画像表示面の座標（ｘ、ｙ）を横線Ｌｙが通過する時刻ｔｙｙにおいて、電子ペン５０の受光素子は横線Ｌｙの発光を受光する。そのため、受光素子は、図６に示したように時刻ｔｙｙで受光を示す受光信号を出力する。
【００８２】
またｘ座標検出サブフィールドＳＦｘのｘ座標検出期間Ｐｘでは、画像表示面の左端部から右端部まで移動する縦線Ｌｘが表示される。そして電子ペン５０が指し示す画像表示面の座標（ｘ、ｙ）を縦線Ｌｘが通過する時刻ｔｘｘにおいて、電子ペン５０の受光素子は縦線Ｌｘの発光を受光する。そのため、受光素子は、図６に示したように時刻ｔｘｘで受光を示す受光信号を出力する。
【００８３】
座標算出部５６は、電子ペン５０が指し示す画像表示装置３０の表示画面上の座標（ｘ、ｙ）を、制御部３５から出力される座標基準信号と受光素子５２から出力される受光信号にもとづき算出する。例えばｙ座標検出期間Ｐｙにおいて、時刻ｔｙ０から時刻ｔｙｙまでの時間を時間Ｔｙｙ、最初にｙ座標検出パルスを印加するまでの時間を時間Ｔｙ０、ｙ座標検出パルスを印加する周期を時間Ｔｙ１とすると、時間（Ｔｙｙ−Ｔｙ０）を時間Ｔｙ１で除算してｙ座標を求めることができる。またｘ座標検出期間Ｐｘにおいて、時刻ｔｘ０から時刻ｔｘｘまでの時間を時間Ｔｘｘ、最初にｘ座標検出パルスを印加するまでの時間を時間Ｔｘ０、ｘ座標検出パルスを印加する周期を時間Ｔｘ１とすると、時間（Ｔｘｘ−Ｔｘ０）を時間Ｔｘ１で除算してｘ座標を求めることができる。
【００８４】
このようして座標算出部５６は、電子ペン５０が指し示す画像表示面の座標（ｘ、ｙ）を求める。
【００８５】
送信部５８は、座標算出部５６が算出したｘ座標およびｙ座標をエンコードして描画装置４０の受信部４２に無線で送信する。
【００８６】
描画装置４０は、電子ペン５０が指し示す画像表示面の座標（ｘ、ｙ）に基づき画像信号を作成する。この画像信号は、使用者が描画した画像を表示するためのものである。描画装置４０は、受信部４２と、描画部４６とを有する。
【００８７】
受信部４２は、電子ペン５０から送信された座標（ｘ、ｙ）を受信して描画部４６に出力する。
【００８８】
描画部４６はフレームメモリを備え、受信部４２で受信した座標（ｘ、ｙ）にもとづき、画像表示面上の電子ペン５０の軌跡を示す描画信号を作成して、画像表示装置３０に出力する。
【００８９】
図８は、本発明の実施の形態における画像表示システム１００の描画の一例を示す模式図である。描画部４６は、座標算出部５６が算出した座標（ｘ、ｙ）に対応する画素を中心に、所定の色および大きさの丸などのパターンをフレームメモリに書込む。使用者が電子ペン５０を画像表示装置３０の画像表示面に接触させたまま移動させると、座標算出部５６が算出する座標（ｘ、ｙ）も移動する。そして描画部４６は移動する座標（ｘ、ｙ）を中心に所定のパターンをフレームメモリに順次書き込む。こうして描画部４６は、図８に示したように、画像表示面上の電子ペン５０の軌跡を示す描画信号を作成する。
【００９０】
そして画像表示装置３０の画像信号処理部３１は、入力した画像信号と描画部４６から出力される描画信号とを合成し、サブフィールド毎の発光・非発光を示す画像データに変換する。これにより、電子ペン５０で書いた画像と入力した画像信号の画像とが重畳されて表示される。
【００９１】
以上のように本実施の形態においては、同期検出サブフィールドＳＦｏの書込み期間Ｐｗ２で発生させる比較的弱い書込み放電をも同期検出のための放電の１つとして用いることにより、同期検出放電そのものの回数を２回に制限して、同期検出のための放電にともなう発光の輝度を抑制している。
【００９２】
上記に加えて、同期検出放電を発生させる放電セルを制限することにより、さらに座標検出サブフィールドの発光の輝度を抑制することができる。以下に、その一例について説明する。
【００９３】
（実施の形態２）
画像表示サブフィールドＳＦ１〜ＳＦ８については実施の形態１と同様であるので説明を省略し、座標検出サブフィールドについて詳細に説明する。
【００９４】
図９は、本発明の実施の形態２における画像表示システムのパネル１０に印加する駆動電圧波形図であり、座標検出サブフィールドのそれぞれにおいてパネル１０の各電極に印加する駆動電圧波形を示している。
【００９５】
同期検出サブフィールドＳＦｏの初期化期間Ｐｉは、実施の形態１と同様である。
【００９６】
同期検出サブフィールドＳＦｏの書込み期間Ｐｗ２では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。その後、青のサブピクセルに対応する放電セルのデータ電極Ｄ３、Ｄ６、Ｄ９、・・・、Ｄｍに電圧Ｖｄの第２の書込みパルスを印加するとともに、フィールド毎に定められた特定の走査電極に電圧Ｖａの第２の走査パルスを印加する。こうして、青のサブピクセルに対応する放電セルであってかつ特定の走査電極を有する放電セルで書込み放電を発生させて画像表示面を青色に発光させる。
【００９７】
特定の走査電極は、各フィールドに対して以下の規則にもとづき設定される。時間的に連続するＮフィールド（Ｎは自然数）を１つのフィールド群とし、連続して配置されたＮ本の走査電極を１つの走査電極群とする。そして、
（規則１）１つのフィールドに対して第２の走査パルスを印加する特定の走査電極は、それぞれの走査電極群の中で１つである。
（規則２）１つの走査電極に対して第２の走査パルスを印加するフィールドは、それぞれのフィールド群の中で１つである。
【００９８】
図１０は、本発明の実施の形態２における画像表示システムの特定の走査電極とフィールドとの関係を示す図であり、Ｎ＝２の例を示している。ここで横方向は時間軸方向でありフィールドを現している。また縦方向はパネルの上下方向に対応した走査電極を表している。そしてフィールドＦｊ〜Ｆｊ＋１が１つのフィールド群を、走査電極ＳＣｉ〜ＳＣｉ＋１が１つの走査電極群を構成している。さらに「○」は第２の走査パルスを印加することを示し、「×」は第２の走査パルスを印加しないことを示している。
【００９９】
図１０から明らかなように本実施の形態においては、フィールド毎に、奇数番目の走査電極ＳＣ１、ＳＣ３、・・・、と偶数番目の走査電極ＳＣ２、ＳＣ４、・・・、とを交互に特定の走査電極とする。そして同期検出サブフィールドＳＦｏの書込み期間Ｐｗ２では、全走査電極の約半分の走査電極に第２の走査パルスが印加され、全放電セルの約１／３のデータ電極Ｄ３、Ｄ６、Ｄ９、・・・、Ｄｍに第２の書込みパルスが印加される。したがって全放電セルの約１／６の放電セルで書込み放電が発生する。
【０１００】
このとき青のサブピクセルに対応する放電セルのデータ電極Ｄ３、Ｄ６、・・・、Ｄｍに第２の書込みパルスを一斉に印加するとともに、特定の走査電極の全てに第２の走査パルスを一斉に印加して、上述した約１／６の放電セルの全てで一斉に書込み放電を発生させる。
【０１０１】
その後、データ電極Ｄ１〜Ｄｍに電圧０（Ｖ）を印加し、走査電極ＳＣ１〜ＳＣｎに電圧Ｖｃを印加する。
【０１０２】
同期検出サブフィールドＳＦｏの同期検出期間Ｐｏでは、一斉に書込み放電を発生させた時刻ｔｏ０から時間Ｔｏ０経過後の時刻ｔｏ１において、走査電極ＳＣ１〜ＳＣｎに電圧Ｖｓｏの同期検出パルスを印加するとともに維持電極ＳＵ１〜ＳＵｎに電圧０（Ｖ）を印加して、上述した約１／６の放電セルで同期検出放電を発生させて画像表示面を青色に発光させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに同期検出パルスを印加して、上述した約１／６の放電セルで再び同期検出放電を発生させて画像表示面を青色に発光させる。
【０１０３】
ここで、時間Ｔｏ０、時間Ｔｏ１はあらかじめ定められた時間間隔であり、時間Ｔｏ０、時間Ｔｏ１の間隔で発生する３回の放電を検出することで同期検出放電を特定できる。本実施の形態において、時間Ｔｏ０、時間Ｔｏ１は、例えばそれぞれ５０μｓ、４０μｓである。
【０１０４】
このように実施の形態２においては、同期検出放電を発生する放電セルは全放電セルの約１／６であり、発光の回数は、書込み期間Ｐｗ２に１回と同期検出期間Ｐｏに２回の合計３回である。さらにその発光色は輝度の低い青色の発光である。そのため、同期検出サブフィールドＳＦｏにおける輝度を実施の形態１における輝度よりもさらに低下させることができる。
【０１０５】
ｙ座標検出サブフィールドＳＦｙの初期化期間Ｐｉでは、実施の形態１と同様の駆動電圧波形を各電極に印加する。すると同期検出期間Ｐｏに発光した放電セルで微弱な初期化放電が発生し、走査電極ＳＣ１〜ＳＣｎ上の壁電圧および維持電極ＳＵ１〜ＳＵｎ上の壁電圧が弱められる。
【０１０６】
ｙ座標検出サブフィールドＳＦｙのｙ座標検出期間Ｐｙでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【０１０７】
次に、赤のサブピクセルに対応する放電セルのデータ電極Ｄ１、Ｄ４、Ｄ７、・・・、Ｄｍ−２、および緑のサブピクセルに対応する放電セルのデータ電極Ｄ２、Ｄ５、Ｄ８、・・・、Ｄｍ−１にｙ座標検出電圧Ｖｄｙを印加する。そして、１行目の走査電極ＳＣ１に電圧Ｖａｙのｙ座標検出パルスを印加する。すると１行目の赤のサブピクセルに対応する放電セルおよび緑のサブピクセルに対応する放電セルでｙ座標検出のための放電が発生する。こうして１行目の画素行が黄色に発光する。
【０１０８】
次に、赤のサブピクセルおよび緑のサブピクセルに対応する放電セルのデータ電極にｙ座標検出電圧Ｖｄｙを印加したまま、２行目の走査電極ＳＣ２にｙ座標検出パルスを印加する。すると２行目の赤のサブピクセルおよび緑のサブピクセルに対応する放電セルでｙ座標検出のための放電が発生する。こうして２行目の画素行が黄色に発光する。
【０１０９】
以下同様に、赤のサブピクセルおよび緑のサブピクセルに対応するデータ電極にｙ座標検出電圧Ｖｄｙを印加したまま、走査電極ＳＣ３〜ＳＣｎにｙ座標検出パルスを順次印加して、３行目〜ｎ行目の画素行を順次黄色に発光させる。
【０１１０】
こうしてｙ座標検出期間Ｐｙでは、画像表示面の上端部から下端部まで移動する黄色の横線が表示される。そのため、電子ペンで横線の発光を受光し、発光のタイミングを知ることで電子ペンが指し示す画像表示面のｙ座標を検出することができる。ただし横線の移動する速度は非常に速いので、視覚的には画像表示面全体が僅かに明るくなったようにしか見えない。
【０１１１】
ｙ座標検出サブフィールドＳＦｙの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加して、赤のサブピクセルおよび緑のサブピクセルに対応する放電セルで微弱な消去放電を発生させる。
【０１１２】
ｘ座標検出サブフィールドＳＦｘの初期化期間Ｐｉは、実施の形態１と同様である。
【０１１３】
ｘ座標検出サブフィールドＳＦｘのｘ座標検出期間Ｐｘでは、走査電極ＳＣ１〜ＳＣｎにｘ座標検出電圧Ｖａｘを印加したまま、赤のサブピクセルおよび緑のサブピクセルに対応する１列目〜２列目のデータ電極Ｄ１〜Ｄ２に電圧Ｖｄｘのｘ座標検出パルスを印加する。すると１列目〜２列目の放電セルでｘ座標検出のための放電が発生する。こうして１列目の画素列が黄色に発光する。
【０１１４】
次に、走査電極ＳＣ１〜ＳＣｎにｘ座標検出電圧Ｖａｘを印加したまま、赤のサブピクセルおよび緑のサブピクセルに対応する４列目〜５列目のデータ電極Ｄ４〜Ｄ５にｘ座標検出パルスを印加する。すると４列目〜５列目の放電セルでｘ座標検出のための放電が発生する。こうして２列目の画素列が黄色に発光する。
【０１１５】
以下同様に、走査電極ＳＣ１〜ＳＣｎにｘ座標検出電圧Ｖａｘを印加したまま、赤のサブピクセルおよび緑のサブピクセルに対応するデータ電極にｘ座標検出パルスを順次印加して、赤のサブピクセルおよび緑のサブピクセルに対応する放電セル列を２列ずつ、ｍ−１列目の放電セル列に至るまで順次黄色に発光させる。
【０１１６】
こうしてｘ座標検出期間Ｐｘでは、画像表示面の左端部から右端部まで移動する黄色の縦線が表示される。そのため、電子ペンで縦線の発光を受光し、発光のタイミングを知ることで電子ペンが指し示す画像表示面のｘ座標を検出することができる。ただし縦線の移動する速度は非常に速いので、視覚的には画像表示面全体が僅かに明るくなったようにしか見えない。
【０１１７】
ｘ座標検出サブフィールドＳＦｘの消去期間Ｐｅは、実施の形態１と同様である。
【０１１８】
以上のように本実施の形態においては、同期検出サブフィールドＳＦｏにおける発光の回数は、書込み期間Ｐｗ２に１回と同期検出期間Ｐｏに２回の合計３回である。また同期検出放電を発生させる放電セルの数は全体の１／６であり、かつ放電にともなう発光色が輝度の低い青色であるので、同期検出放電にともなう発光の輝度は大幅に抑制される。またｙ座標検出サブフィールドＳＦｙおよびｘ座標検出サブフィールドＳＦｘにおいて、赤のサブピクセルおよび緑のサブピクセルに対応する放電セルを発光させるため、視覚的には画像表示面全体が青の補色である黄色に発光する。そのため座標検出サブフィールド全体ではほぼ白色に発光することになる。こうして座標検出サブフィールドの発光を、無彩色に近い発光としつつ、輝度を大幅に抑制している。
【０１１９】
なお、実施の形態においては、ｙ座標検出期間Ｐｙに、放電セル行を１行分ずつ順次発光させて、画像表示面の上端部から下端部まで移動する横線を示した。しかし本発明はこれに限定されるものではない。例えば、放電セル行を２行分ずつ順次発光させて移動する横線を表示してもよく、また放電セル行を１行おきに発光させて移動する横線を表示してもよい。同様に、ｘ座標検出期間Ｐｘにおいても、放電セル列を任意の複数列ずつ順次発光させてもよく、また放電セル列を複数列おきに発光させてもよい。これにより輝度をさらに低下させるとともに、ｙ座標検出サブフィールドＳＦｙ、ｘ座標検出サブフィールドＳＦｘに要する時間を短くすることができる。
【０１２０】
また実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１２１】
本発明は、大画面、高精細度パネルを電子黒板として応用する場合であっても、コントラストの低下を抑制しつつ、座標検出のための発光を発生させることができるので、画像表示装置、その駆動方法、および電子ペンを用いて描画可能な画像表示システムとして有用である。
【符号の説明】
【０１２２】
１０    パネル
１２    走査電極
１３    維持電極
２２    データ電極
３０    画像表示装置
３１    画像信号処理部
３２    データ電極駆動部
３３    走査電極駆動部
３４    維持電極駆動部
３５    制御部
４０    描画装置
４２    受信部
４６    描画部
５０    電子ペン
５２    受光素子
５４    同期検出部
５６    座標算出部
５８    送信部
１００    画像表示システム
【図１】
2014010198.tif 000003
【図２】
2014010198.tif 000004
【図３】
2014010198.tif 000005
【図４Ａ】
2014010198.tif 000006
【図４Ｂ】
2014010198.tif 000007
【図５】
2014010198.tif 000008
【図６】
2014010198.tif 000009
【図７】
2014010198.tif 000010
【図８】
2014010198.tif 000011
【図９】
2014010198.tif 000012
【図１０】
2014010198.tif 000013